(57)【要約】【課題】  給湯器からの温水が流れる浴室側熱交換器１３と、前記浴室側熱交換器１３を介して浴室内の空気を循環させる浴室循環ファン１４と、浴室空気調和機本体１の運転動作を制御する回路を収容した制御ユニット２とを具備し、浴室の天井に開設された取付口に埋め込み状態で装着される浴室空気調和機本体１において、制御ユニット２の点検や交換等のメンテナンス作業をする際の作業性および安全性を向上させた浴室空気調和機を提供すること。【解決手段】  前記制御ユニット２は、浴室の天井に開設された点検口側に面する前記浴室空気調和機本体１の側面に設けられたこと。【選択図】  図２
2005090879.tif 000002
【特許請求の範囲】
【請求項１】
給湯器からの温水が流れる浴室側熱交換器と、前記浴室側熱交換器を介して浴室内の空気を循環させる浴室循環ファンと、浴室空気調和機の運転動作を制御する回路を収容した制御ユニットとを具備し、
浴室の天井に開設された取付口に埋め込み状態で装着される浴室空気調和機において、
前記制御ユニットは、浴室の天井に開設された点検口側に面する浴室空気調和機本体の側面に設けられた、浴室空気調和機。
【請求項２】
請求項１に記載の浴室空気調和機において、
前記浴室空気調和機本体は、前記浴室側熱交換器と前記浴室循環ファンとを収容し、前記取付口の上部に設けられる浴室暖房ユニットと、
浴室内の空気を屋外へ排出させる換気ファンを収容し、前記浴室暖房ユニットにおける前記点検口側の側面に取り外し可能な状態で連結される換気ユニットとを備え、
前記制御ユニットは、前記換気ユニットにおける前記点検口側の側面に設けられた、浴室空気調和機。
【請求項３】
請求項２に記載の浴室空気調和機において、
前記換気ユニットの一側面には、前記換気ファンから送出される空気を屋外へ排出する排気ダクトを接続するための排気ダクト接続口が設けられ、
前記換気ユニットの前記一側面以外の対向する二つの側面には、前記浴室暖房ユニットにおける前記点検口側の側面に設けられた第１連結部に着脱可能に接続できる第２連結部が各別に設けられ、
前記第２連結部の一方は前記第１連結部に接続され、他方の前記第２連結部は着脱可能の閉塞板で被蓋され、前記制御ユニットは、前記閉塞板に設けられている、浴室空気調和機。
【請求項４】
請求項１に記載の浴室空気調和機において、
前記浴室空気調和機本体は、前記浴室側熱交換器と前記浴室循環ファンとを収容し、前記取付口の上部に設けられる浴室暖房ユニットと、
給湯器からの温水が流れる脱衣室側熱交換器と前記脱衣室側熱交換器を介して脱衣室内の空気を循環させる脱衣室循環ファンとを収容し、前記浴室暖房ユニットにおける前記点検口側の側面に取り外し可能な状態で連結される脱衣室暖房ユニットとを備え、
前記制御ユニットは、前記脱衣室暖房ユニットにおける前記点検口側の側面に設けられた、浴室空気調和機。
【請求項５】
請求項４に記載の浴室空気調和機において、
前記脱衣室暖房ユニットの一側面には、前記脱衣室循環ファンを介して脱衣室の空気を循環させる循環ダクト接続口が設けられ、
前記脱衣室暖房ユニットの前記一側面以外の対向する二つの側面には、前記浴室暖房ユニットにおける前記点検口側の側面に設けられた第１連結部に着脱可能に接続できる第２連結部が各別に設けられ、
前記第２連結部の一方は前記第１連結部に接続され、他方の前記第２連結部は着脱可能の閉塞板で被蓋され、前記制御ユニットは、前記閉塞板に設けられている、浴室空気調和機。
【発明の詳細な説明】
【技術分野】
【０００１】
本発明は、浴室の暖房や乾燥等を行う浴室空気調和機、特に、浴室の天井裏に設置される浴室空気調和機に関するものである。
【背景技術】
【０００２】
浴室の暖房や乾燥等を行う従来の浴室空気調和機において、その運転動作を制御する回路を収容した制御ユニットは、浴室空気調和機のケーシング内に設けられている（例えば、特許文献１参照）。
図６は、この種の浴室空気調和機を示す斜視図である。
浴室空気調和機本体７は、浴室Ａの天井裏に設置されており、ケーシング７０の下面のケース開口部７００が浴室Ａの天井に開設された取付口Ａ１から浴室Ａを臨んでいる。
ケーシング７０には、給湯器（図示しない）からの温水が流れる熱交換器７３と、熱交換器７３を介して浴室Ａの空気を循環させる循環ファン７４と、浴室Ａの空気を屋外へ排出させる換気ファン７５と、循環ファン７４や換気ファン７５の動作を制御する回路を収容した制御ユニット８とが内設されており、該制御ユニット８はケース開口部７００の近傍に固定されている。また、ケーシング７０の下面には、ケース開口部７００を覆うグリル７０１が着脱可能に取り付けられている。
【０００３】
このものでは、制御ユニット８は、浴室Ａに臨むケース開口部７００の近傍に設けられているから、例えば、浴室空気調和機本体７の動作不良による制御ユニット８の点検や交換等のメンテナンス作業を実施する場合には、ケース開口部７００を覆うグリル７０１を取り外せば、浴室Ａ内から上記作業を行うことができる。
【特許文献１】特開２００２−１３０７１５号公報（第３−５頁、第３図）
【発明の開示】
【発明が解決しようとする課題】
【０００４】
しかしながら、上記従来の浴室空気調和機では、図７に示すように、作業者は、ケース開口部７００の下方から、作業のしにくい上向きの姿勢で点検や交換等を行わなければならず、作業性が悪い。
また、作業中に作業者がケーシング７０内の熱交換器７３の高温部や循環ファン７４等に接触するおそれもあり、安全性が悪い。
【０００５】
本発明は係る点に鑑みてなされたもので、
『給湯器からの温水が流れる浴室側熱交換器と、前記浴室側熱交換器を介して浴室内の空気を循環させる浴室循環ファンと、浴室空気調和機の運転動作を制御する回路を収容した制御ユニットとを具備し、
浴室の天井に開設された取付口に埋め込み状態で装着される浴室空気調和機』において、制御ユニットの点検や交換等のメンテナンス作業をする際の作業性および安全性を向上させた浴室空気調和機を提供することをその課題とする。
【課題を解決するための手段】
【０００６】
上記課題を解決するための本発明の技術的手段は、
『前記制御ユニットは、浴室の天井に開設された点検口側に面する浴室空気調和機本体の側面に設けられた』ことである。
上記技術手段によれば、制御ユニットは、浴室の天井裏に設置される浴室空気調和機本体の、浴室の天井に開設された点検口側の側面に設けられているから、作業者は、点検口から作業のしやすい前向きの姿勢で制御ユニットのメンテナンス作業をすることができる。
また、上記メンテナンス作業中に作業者が浴室暖房ユニット内部の熱交換器や循環ファン等に接触するおそれもない。
【０００７】
請求項２に係る発明の技術的手段は、
前記請求項１において、
『前記浴室空気調和機本体は、前記浴室側熱交換器と前記浴室循環ファンとを収容し、前記取付口の上部に設けられる浴室暖房ユニットと、
浴室内の空気を屋外へ排出させる換気ファンを収容し、前記浴室暖房ユニットにおける前記点検口側の側面に取り外し可能な状態で連結される換気ユニットとを備え、
前記制御ユニットは、前記換気ユニットにおける前記点検口側の側面に設けられた』ことである。
このものでは、前記浴室暖房ユニットにおける点検口側の側面に前記換気ユニットが取り外し可能な状態で連結され、該換気ユニットの点検口側の側面に制御ユニットが設けられているから、上記請求項１のものと同様に、作業者が作業のしやすい前向きの姿勢で上記メンテナンス作業をすることができるし、浴室暖房ユニットの熱交換器や循環ファン等に接触するおそれもない。
また、換気ユニットと制御ユニットとを同時に交換する場合は、換気ユニットを取り外せば、制御ユニットも同時に取り外すことができる。
【０００８】
請求項３に係る発明の技術的手段は、
前記請求項２において、
『前記換気ユニットの一側面には、前記換気ファンから送出される空気を屋外へ排出する排気ダクトを接続するための排気ダクト接続口が設けられ、
前記換気ユニットの前記一側面以外の対向する二つの側面には、前記浴室暖房ユニットにおける前記点検口側の側面に設けられた第１連結部に着脱可能に接続できる第２連結部が各別に設けられ、
前記第２連結部の一方は前記第１連結部に接続され、他方の前記第２連結部は着脱可能の閉塞板で被蓋され、前記制御ユニットは、前記閉塞板に設けられている』ことである。
このものでは、換気ユニットの対向する二つの側面には、浴室暖房ユニットの側面に設けられた第１連結部に接続できる第２連結部が各別に設けられており、一方が前記第１連結部に着脱可能に接続され、他方は閉塞板が着脱可能に取り付けられている。
【０００９】
従って、上記の取り付け状態とは逆に、一方の第２連結部に閉塞板を取り付け、他方の第２連結部を第１連結部に接続すれば、排気ダクト接続口の向きを１８０°変更することができる。そして、換気ユニットの取り付け向きを、排気ダクトの接続しやすい向きに変更しても、制御ユニットは、上記メンテナンス作業のしやすい浴室の点検口側に位置させておくことができる。
【００１０】
請求項４に係る発明の技術的手段は、
前記請求項１において、
『前記浴室空気調和機本体は、前記浴室側熱交換器と前記浴室循環ファンとを収容し、前記取付口の上部に設けられる浴室暖房ユニットと、
給湯器からの温水が流れる脱衣室側熱交換器と前記脱衣室側熱交換器を介して脱衣室内の空気を循環させる脱衣室循環ファンとを収容し、前記浴室暖房ユニットにおける前記点検口側の側面に取り外し可能な状態で連結される脱衣室暖房ユニットとを備え、
前記制御ユニットは、前記脱衣室暖房ユニットにおける前記点検口側の側面に設けられた』ことである。
このものでは、前記浴室暖房ユニットの点検口側の側面に前記脱衣室暖房ユニットが取り外し可能な状態で連結され、該脱衣室暖房ユニットの点検口側の側面に制御ユニットが設けられているから、上記請求項１のものと同様に、作業者が作業のしやすい前向きの姿勢で上記メンテナンス作業をすることができるし、浴室暖房ユニットの熱交換器や循環ファン等に接触するおそれもない。
また、脱衣室暖房ユニットと制御ユニットとを同時に交換する場合は、脱衣室暖房ユニットを取り外せば、制御ユニットも同時に取り外すことができる。
【００１１】
請求項５に係る発明の技術的手段は、
前記請求項４において、
『前記脱衣室暖房ユニットの一側面には、前記脱衣室循環ファンを介して脱衣室の空気を循環させる循環ダクト接続口が設けられ、
前記脱衣室暖房ユニットの前記一側面以外の対向する二つの側面には、前記浴室暖房ユニットにおける前記点検口側の側面に設けられた第１連結部に着脱可能に接続できる第２連結部が各別に設けられ、
前記第２連結部の一方は前記第１連結部に接続され、他方の前記第２連結部は着脱可能の閉塞板で被蓋され、前記制御ユニットは、前記閉塞板に設けられている』ことである。
このものでは、脱衣室暖房ユニットの対向する二つの側面には、浴室暖房ユニットの側面に設けられた第１連結部に接続できる第２連結部が各別に設けられており、一方が前記第１連結部に着脱可能に接続され、他方は閉塞板が着脱可能に取り付けられている。
【００１２】
従って、上記の取り付け状態とは逆に、一方の第２連結部に閉塞板を取り付け、他方の第２連結部を第１連結部に接続すれば、循環ダクト接続口の向きを１８０°変更することができる。そして、浴室に対する脱衣室の配置に合わせて、脱衣室暖房ユニットの取り付け向きを循環ダクトの接続しやすい向きに変更しても、制御ユニットは、上記メンテナンス作業のしやすい浴室の点検口側に位置させておくことができる。
【発明の効果】
【００１３】
本発明は、上記構成であるから次の特有の効果を有する。
作業者が作業のしやすい前向きの姿勢で、制御ユニットのメンテナンス作業をすることができるから、作業性が向上する。
また、点検口から作業することによって、浴室暖房ユニットの熱交換器や循環ファン等に接触するおそれもないから、安全性が向上する。
【００１４】
請求項２および４に係る発明では、上記効果に加えて、換気ユニットや脱衣室暖房ユニットと同時に制御ユニットを取り外すことができるから、作業性が一層向上する。
請求項３に係る発明では、換気ユニットの取り付け向きを排気ダクトの接続しやすい向きに変更することができるとともに、取り付け向きを変更した場合も、制御ユニットを浴室の点検口側に位置させておくことができるから、浴室空気調和機の汎用性が向上する。
【００１５】
請求項５に係る発明では、浴室に対する脱衣室の配置に合わせて、脱衣室暖房ユニットの取り付け向きを循環ダクトの接続しやすい向きに変更することができるとともに、取り付け向きを変更した場合も、制御ユニットを浴室の点検口側に位置させておくことができるから、浴室空気調和機の汎用性が向上する。
【発明を実施するための最良の形態】
【００１６】
次に、上記した本発明を実施するための最良の形態について、添付図面を参照しながら詳述する。
図１は、本発明の実施の形態に係る浴室空気調和機の設置状態の説明図である。
浴室空気調和機本体１は、浴室暖房ユニット１Ａと、暖房換気ユニット１Ｂとを備えており、浴室Ａの天井裏に設置されている。暖房換気ユニット１Ｂの側面には、屋外の排気口Ｐ１から延びる排気ダクトＤ１と、脱衣室Ｂの天井に設けられた循環口Ｐ２，Ｐ３から延びる循環ダクトＤ２，Ｄ３と、トイレＣの天井に設けられた換気口Ｐ４から延びる換気ダクトＤ４が連結されている。尚、上記暖房換気ユニット１Ｂは、既述請求項２の発明特定事項たる換気ユニットおよび既述請求項４の発明特定事項たる脱衣室暖房ユニットに対応する。
【００１７】
図２は、上記浴室空気調和機本体１の一部を分解した斜視図であり、以下、各部の詳細を説明する。
［浴室暖房ユニット１Ａについて］
浴室暖房ユニット１Ａは、そのケーシング１０内に、給湯器（図示しない）から温水が供給されて浴室Ａの空気を加熱する浴室側熱交換器１３と、浴室Ａの空気を吸入し、浴室側熱交換器１３を介して浴室Ａへ排出する浴室循環ファン１４とを備えており、ケーシング１０は、浴室Ａの天井に開設された取付口Ａ１に埋め込み状態で装着されている。
【００１８】
また、ケーシング１０の下面のケース開口部１００は、浴室Ａからケーシング１０内へ流れる空気の吸気口１００ａと、浴室側熱交換器１３を介して加熱された空気を浴室Ａへ放出する浴室循環ファン１４の吐出口１００ｂとを備えているとともに、浴室Ａ内からケーシング１０の下面に着脱自在に取り付けられたグリル１０１で覆われている。
【００１９】
浴室Ａの天井に開設された点検口Ａ２側に面するケーシング１０の側面には、後述する暖房換気ユニット１Ｂの第２連結部１１５ａ，１１５ｂのいずれか一方が接続される第１連結部１０５を備えており、該第１連結部１０５には、ケーシング１０内に形成された換気通路１０ａと連通する第１連通口１０７と、該第１連通口１０７を開閉させるダンパ１８と、後述する暖房換気ユニット１Ｂの固定フック１１６と係合する固定孔１０６と、ケーシング１０と後述するケーシング１１とを固定するためのロングボルトＮ１が螺入されるねじ孔１０８とが設けられている。
尚、上記点検口Ａ２は、浴室空気調和機の施工作業やメンテナンス（点検や部品交換等）作業を行うときに使用される開口である。
【００２０】
［暖房換気ユニット１Ｂについて］
暖房換気ユニット１Ｂのケーシング１１は、略直方体状に形成された箱体であり、浴室ＡおよびトイレＣの空気の通路としての第１室１１ａと、脱衣室Ｂ内の空気の循環通路としての第２室１１ｂとを備えている。
【００２１】
前記第１室１１ａ内には、浴室Ａ、脱衣室ＢおよびトイレＣの空気を屋外へ排出する換気ファン１５が収容され、前記第２室１１ｂ内には、給湯器（図示しない）から温水が供給されて脱衣室Ｂの空気を加熱する脱衣室側熱交換器１６と、脱衣室Ｂの空気をケーシング１１内に吸入し、脱衣室側熱交換器１６を介して脱衣室Ｂへ排出する脱衣室循環ファン１７とが収容されている。また、第１室１１ａと第２室１１ｂとの相互間には、開閉ダンパを備えた連通口１１ｃが設けられている。
【００２２】
ケーシング１１の一側面には、排気ダクトＤ１と換気ファン１５の吐出口とを連結させるダクト接続口１１１と、換気ダクトＤ４と第１室１１ａ内とを連通させるダクト接続口１１４とが並設されている。尚、上記ダクト接続口１１１が既述請求項３の発明の発明特定事項としての排気ダクト接続口に対応する。
【００２３】
また、ダクト接続口１１１，１１４が並設された上記側面に対向する側面には、循環ダクトＤ２と脱衣室循環ファン１７の吐出口とを連結させるダクト接続口１１２と、循環ダクトＤ３と第２室１１ｂ内とを連通させるダクト接続口１１３とが並設されている。尚、上記ダクト接続口１１２，１１３が既述請求項５の発明の発明特定事項としての循環ダクト接続口に対応する。
【００２４】
上記二つの側面以外の対向する二つの側面には、浴室暖房ユニット１Ａの第１連結部１０５に接続できる第２連結部１１５ａ，１１５ｂが各別に設けられており、それら第２連結部１１５ａ，１１５ｂには、第１室１１ａ内と連通する第２連通口１１７と、前記浴室暖房ユニット１Ａの固定孔１０６または後述する閉塞板１２の固定孔１２６と係合できる固定フック１１６と、一方の第２連結部１１５ａから他方の１１５ｂへ穿設され、ロングボルトＮ１が挿通される挿通孔１１８と、後述する閉塞板を固定するための固定ねじＮ２が螺入されるねじ孔１１９とを備えている。即ち、ケーシング１１の対向する二つの側面には、同一構造を備えた第２連結部１１５ａ，１１５ｂが各別に設けられており、その一方が浴室暖房ユニット１Ａの第１連結部１０５に連結され、他方には後述する閉塞板１２が取り付けられるようになっている（図５参照）。
【００２５】
図２の状態では、第２連結部１１５ａが第１連結部１０５に接続されるようになっており、第２連結部１１５ａ側の固定フック１１６を第１連結部１０５側の固定孔１０６に係合させ、ロングボルトＮ１を他方の第２連結部１１５ｂ側から挿通孔１１８を介してねじ孔１０８に螺入することによって、ケーシング１１がケーシング１０に固定されるようになっている。即ち、暖房換気ユニット１Ｂは、浴室暖房ユニット１Ａの点検口Ａ２側の側面に着脱可能な状態で取り付けられる構造になっている。
【００２６】
他方の第２連結部１１５ｂは、固定フック１１６と係合する固定孔１２６を備えた閉塞板１２で被蓋されるようになっており、第２連結部１１５ｂ側の固定フック１１６を閉塞板１２の固定孔１０６に係合させ、固定ねじＮ２をねじ孔１１９に螺入することによって、第２連通口１１７を閉塞させるようになっている。また、閉塞板１２の表面側（ケーシング１１の外周面に対応する面）には、浴室暖房ユニット１Ａおよび暖房換気ユニット１Ｂの運転動作を制御する回路基板を収容した制御ユニット２が固定ねじＮ３によって固定されている。即ち、制御ユニット２は、暖房換気ユニット１Ｂの点検口Ａ２側の側面に着脱可能な状態で取り付けられている。
【００２７】
［制御ユニット２について］
制御ユニット２は、図示しない給湯器の制御回路やリモコンに接続されており、該リモコンの操作情報に基づいて、浴室循環ファン１４や換気ファン１５、脱衣室循環ファン１７、ダンパ１８等の各動作を制御する。
【００２８】
具体的には、例えば、浴室Ａ内の乾燥運転を実行する場合は、図示しない給湯器の給湯動作を開始させるとともに、ダンパ１８を開にした状態で、浴室循環ファン１４と換気ファン１５を回転させる。すると、浴室Ａ内の空気は、ケース開口部１００の吸気口１００ａから浴室側熱交換器１３を介して浴室循環ファン１４に吸引され、浴室循環ファン１４の吐出口１００ｂから浴室Ａ内へ放出される。浴室側熱交換器１３には、図示しない給湯器からの高温の温水が循環されるから、吸気口１００ａから吸入された空気は浴室側熱交換器１３で暖められ、吐出口１００ｂから温風として浴室Ａ内へ放出される。
【００２９】
また、換気ファン１５の回転によって、浴室Ａ内の空気は、ケーシング１０の換気通路１０ａから開状態のダンパ１８を通じて暖房換気ユニット１Ｂのケーシング１１の第１室１１ａ内へ吸引され、換気ファン１５の吐出口から排気ダクトＤ１を通じて屋外へ排出される。これにより、浴室Ａ内を前記温風と換気によって乾燥させることができる。
【００３０】
このとき、トイレＣ内の空気が換気ダクトＤ４を通じてケーシング１１の第１室１１ａ内へ流れていき、上記と同様に換気ファン１５から屋外へ排出されるから、トイレＣ内を換気させることができる。
【００３１】
また、ケーシング１１内の開閉ダンパを備えた連通口１１ｃが開状態の場合は、脱衣室Ｂ内の空気が循環ダクトＤ３を通じてケーシング１１の第２室１１ｂ内へ吸引され、連通口１１ｃを通じて第１室１１ａ内へ吸引される。そして、上記と同様に換気ファン１５の吐出口から屋外へ排出されるから、トイレＣ内の換気に加えて、脱衣室Ｂについても換気させることができる。
【００３２】
脱衣室Ｂ内の暖房運転を実行する場合は、脱衣室循環ファン１７を回転させることにより、脱衣室Ｂ内の空気は、循環ダクトＤ３を通じて第２室１１ｂ内へ吸入され、給湯器からの温水が流れる脱衣室側熱交換器１６を介して加熱された空気は、脱衣室循環ファン１７の吐出口から循環ダクトＤ２を通じて脱衣室Ｂ内へ放出されるから、脱衣室Ｂ内を暖房することができる。
【００３３】
［メンテナンス作業の実際］
これによれば、制御ユニット２は、浴室暖房ユニット１Ａの点検口Ａ２側の側面に連結された暖房換気ユニット１Ｂの点検口Ａ２側の側面、即ち、浴室空気調和機本体１の点検口Ａ２側の側面に設けられているから、制御ユニット２の点検や交換等のメンテナンス作業を実施する際に、作業者は、点検口Ａ２から作業のしやすい前向きの姿勢で上記メンテナンス作業をすることができる（図３参照）。即ち、例えば浴室空気調和機本体１の動作不良によって、制御ユニット２を交換する場合、閉塞板１２に制御ユニット２を固定している固定ねじＮ３と、制御ユニット２に接続されている図示しない電気配線とを取り外す作業がしやすい姿勢で、制御ユニット２を取り外すことができる。また、グリル１０１を取り外さなくても上記作業をすることができるから、浴室暖房ユニット１Ａ内の浴室側熱交換器１３や浴室循環ファン１４等に接触するおそれもない。
【００３４】
一方、暖房換気ユニット１Ｂと制御ユニット２とを新しいものに交換する場合は、ロングボルトＮ１を取り外し、浴室暖房ユニット１Ａの固定孔１０６に係合している暖房換気ユニット１Ｂの固定フック１１６を外せば、暖房換気ユニット１Ｂと制御ユニット２とを同時に浴室暖房ユニット１Ａから分離させることができる。
【００３５】
さらに、ケーシング１１の対向する側面には、同一構造を有する第２連結部１１５ａ，１１５ｂがそれぞれ設けられているから、図１に示す場合と異なり、排気口Ｐ１から延びる排気ダクトＤ１が、点検口Ａ２から見て浴室空気調和機本体１の向かって左側から配管される図４のような設置条件のもとでは、排気ダクトＤ１をダクト接続口１１１に接続しやすい向き、即ち、ダクト接続口１１１が上記左側に面する向きに暖房換気ユニット１Ｂと浴室暖房ユニット１Ａとを連結させても、制御ユニット２は、点検口Ａ２側に面する位置に配設することができる。具体的には、暖房換気ユニット１Ｂの第２連結部１１５ｂを浴室暖房ユニット１Ａの第１連結部１０５に接続させ、第２連結部１１５ａに制御ユニット２を備えた閉塞板１２を取り付ける（図５参照）。第２連結部１１５ｂと第１連結部１０５とは、上述した第２連結部１１５ａと第１連結部１０５とを接続する場合と同様の方法で固定され、第２連結部１１５ａと閉塞板１２とは、上述した第２連結部１１５ｂに閉塞板１２を固定する場合と同様の方法で固定される。
【００３６】
浴室Ａに対して脱衣室Ｂが、点検口Ａ２から見て浴室空気調和機本体１の向かって右側に位置する設置条件（図４参照）においても上記設置条件の場合と同様に、循環ダクトＤ２，Ｄ３をダクト接続口１１２，１１３に接続しやすい向き、即ち、ダクト接続口１１２，１１３が上記脱衣室Ｂ側に面する向きに暖房換気ユニット１Ｂと浴室暖房ユニット１Ａとを連結させても、制御ユニット２を点検口Ａ２側に面する位置に配設させることができる。
【００３７】
これにより、暖房換気ユニット１Ｂを設置条件に合わせて浴室暖房ユニット１Ａに取り付けたときも、制御ユニット２は、必ずメンテナンス作業のしやすい点検口Ａ２側に位置させることができる。
尚、暖房換気ユニット１Ｂは、脱衣室側熱交換器１６や脱衣室循環ファン１７を備えていない換気機能のみを備えたものであっても良いし、換気ファン１５を備えていない脱衣室暖房機能のみを備えたものであっても良い。
【図面の簡単な説明】
【００３８】
【図１】本発明の実施の形態に係る浴室空気調和機の設置状態の説明図
【図２】本発明の実施の形態に係る浴室空気調和機の一部を分解した斜視図
【図３】本発明の実施の形態に係る浴室空気調和機のメンテナンス作業状態を示す説明図
【図４】本発明の実施の形態に係る浴室空気調和機の他の設置状態の説明図
【図５】本発明の実施の形態に係る浴室空気調和機の一部を分解した斜視図
【図６】従来例の浴室空気調和機の斜視図
【図７】従来例の浴室空気調和機のメンテナンス作業状態を示す説明図
【符号の説明】
【００３９】
１・・・浴室空気調和機本体
２・・・制御ユニット
１３・・・浴室側熱交換器
１４・・・浴室循環ファン
【図１】
2005090879.tif 000003
【図２】
2005090879.tif 000004
【図３】
2005090879.tif 000005
【図４】
2005090879.tif 000006
【図５】
2005090879.tif 000007
【図６】
2005090879.tif 000008
【図７】
2005090879.tif 000009